(57)【特許請求の範囲】
【請求項１】
ネットワークデバイス発見方法であって、
ネットワークデバイスにより、センサ信号送信機によって送信されたセンサ信号を受信するステップと、
アラータがアラート信号を送信するよう、前記ネットワークデバイスにより、前記センサ信号に従って、前記アラータへ信号を送信すると決定するステップであって、前記アラート信号は、前記ネットワークデバイスの位置を示すために、および/または、前記ネットワークデバイスが所定範囲内に存在することを示すために使用される、ステップと
を含み、
ネットワークデバイスにより、センサ信号送信機によって送信されたセンサ信号を受信する前記ステップよりも前に、
前記ネットワークデバイスが、前記ネットワークデバイスのデバイス発見スイッチがイネーブル状態にあると判定する場合、ネットワークデバイスにより、センサ信号送信機によって送信されたセンサ信号を受信する前記ステップを実行するステップをさらに含む、方法。
【請求項２】
前記ネットワークデバイスにより、前記センサ信号に従って、前記アラータへ信号を送信すると決定する前記ステップが、
前記ネットワークデバイスが、前記センサ信号を受信し、前記デバイス発見スイッチが前記イネーブル状態にあると判定した後、前記ネットワークデバイスにより、前記アラータへ前記信号を送信するステップを含む、請求項1に記載の方法。
【請求項３】
前記ネットワークデバイスが故障状態にある場合、前記デバイス発見スイッチを前記イネーブル状態に設定するステップ、および/または、
前記ネットワークデバイスが起動ステージにある場合、前記デバイス発見スイッチをディセーブル状態に設定するステップ、および/または、
前記ネットワークデバイスにより、ネットワーク管理デバイスによって送信される、前記デバイス発見スイッチのスイッチコンフィギュレーション状態を含むコンフィギュレーション制御メッセージを受信し、前記スイッチコンフィギュレーション状態に従って、前記デバイス発見スイッチの状態を設定するステップ
をさらに含む、請求項1または2に記載の方法。
【請求項４】
前記スイッチコンフィギュレーション状態が前記ディセーブル状態である場合、前記ネットワークデバイスにより、前記スイッチコンフィギュレーション状態に従って、前記デバイス発見スイッチの状態を設定する前記ステップが、
前記ネットワークデバイスにより、前記ネットワークデバイスが非故障状態にあるか否かを判定し、前記ネットワークデバイスが前記非故障状態にある場合、前記デバイス発見スイッチを前記ディセーブル状態へ設定するステップを含む、請求項3に記載の方法。
【請求項５】
前記アラータが、前記ネットワークデバイスまたは前記センサ信号送信機へ統合されるか、または、
前記アラータが、第1のアラータおよび第2のアラータを含み、前記第1のアラータは、前記ネットワークデバイスへ統合され、前記第2のアラータは、前記センサ信号送信機へ統合される、請求項1から4のいずれか一項に記載の方法。
【請求項６】
ネットワークデバイスであって、
センサ信号送信機によって送信されたセンサ信号を受信するように構成された受信モジュールと、
アラータがアラート信号を送信するよう、前記センサ信号に従って、前記アラータへ信号を送信すると決定するように構成された送信モジュールであって、前記アラート信号は、前記ネットワークデバイスの位置を示すために、および/または、前記ネットワークデバイスが所定範囲内に存在することを示すために使用される、送信モジュールと、
前記受信モジュールが前記センサ信号送信機によって送信された前記センサ信号を受信するよりも前に、前記ネットワークデバイスのデバイス発見スイッチがイネーブル状態にある場合、前記センサ信号送信機によって送信された前記センサ信号を受信するように前記受信モジュールを制御するように構成された処理モジュールと
を備えるネットワークデバイス。
【請求項７】
前記処理モジュールは、
前記受信モジュールが前記センサ信号を受信し、前記デバイス発見スイッチが前記イネーブル状態にある場合、前記アラータへ前記信号を送信するように前記送信モジュールを制御するようにさらに構成される、請求項6に記載のネットワークデバイス。
【請求項８】
前記処理モジュールが、
前記ネットワークデバイスが故障状態にある場合、前記デバイス発見スイッチを前記イネーブル状態に設定し、および/または、
前記ネットワークデバイスが起動ステージにある場合、前記デバイス発見スイッチをディセーブル状態に設定し、および/または、
ネットワーク管理デバイスによって送信される、前記デバイス発見スイッチのスイッチコンフィギュレーション状態を含むコンフィギュレーション制御メッセージを受信し、前記スイッチコンフィギュレーション状態に従って、前記デバイス発見スイッチの状態を設定する
ようにさらに構成される、請求項6または7に記載のネットワークデバイス。
【請求項９】
前記スイッチコンフィギュレーション状態が前記ディセーブル状態である場合、前記処理モジュールが、
前記ネットワークデバイスが非故障状態にあるか否かを判定し、前記ネットワークデバイスが前記非故障状態にある場合、前記デバイス発見スイッチを前記ディセーブル状態へ設定するようにさらに構成される、請求項8に記載のネットワークデバイス。
【請求項１０】
前記アラータが、前記ネットワークデバイスまたは前記センサ信号送信機へ統合されるか、または、
前記アラータが、第1のアラータおよび第2のアラータを含み、前記第1のアラータは、前記ネットワークデバイスへ統合され、前記第2のアラータは、前記センサ信号送信機へ統合される、請求項6から9のいずれか一項に記載のネットワークデバイス。
【請求項１１】
ネットワークデバイスであって、
センサと、
アラータと、
プロセッサと
を備え、
前記センサは、センサ信号送信機によって送信されたセンサ信号を受信し、前記アラータがアラート信号を送信するよう、前記センサ信号に従って、前記アラータへ信号を送信すると決定するように構成され、
前記アラート信号は、前記ネットワークデバイスの位置を示すために、および/または、前記ネットワークデバイスが所定範囲内に存在することを示すために使用され、
前記プロセッサは、前記センサが前記センサ信号送信機によって送信された前記センサ信号を受信するよりも前に、前記ネットワークデバイスのデバイス発見スイッチがイネーブル状態にある場合、前記センサ信号送信機によって送信された前記センサ信号を受信するように前記センサを制御するように構成される、ネットワークデバイス。
【請求項１２】
前記プロセッサは、
前記センサが前記センサ信号を受信し、前記デバイス発見スイッチが前記イネーブル状態にある場合、前記アラータへ前記信号を送信するように前記センサを制御するようにさらに構成される、請求項11に記載のネットワークデバイス。
【請求項１３】
前記プロセッサが、
前記ネットワークデバイスが故障状態にある場合、前記デバイス発見スイッチを前記イネーブル状態に設定し、および/または、
前記ネットワークデバイスが起動ステージにある場合、前記デバイス発見スイッチをディセーブル状態に設定し、および/または、
ネットワーク管理デバイスによって送信される、前記デバイス発見スイッチのスイッチコンフィギュレーション状態を含むコンフィギュレーション制御メッセージを受信し、前記スイッチコンフィギュレーション状態に従って、前記デバイス発見スイッチの状態を設定する
ようにさらに構成される、請求項11または12に記載のネットワークデバイス。
【請求項１４】
前記スイッチコンフィギュレーション状態が前記ディセーブル状態である場合、前記プロセッサが、
前記ネットワークデバイスが非故障状態にあるか否かを判定し、前記ネットワークデバイスが前記非故障状態にある場合、前記デバイス発見スイッチを前記ディセーブル状態へ設定するようにさらに構成される、請求項13に記載のネットワークデバイス。
【請求項１５】
前記センサが、パッシブセンサまたはアクティブセンサであり、
前記センサが前記アクティブセンサである場合、前記ネットワークデバイスは、前記アクティブセンサへ電力を供給する電源をさらに備える、請求項11から14のいずれか一項に記載のネットワークデバイス。
【発明の詳細な説明】
【技術分野】
【０００１】
本発明の実施態様は、通信技術に関し、特に、ネットワークデバイス発見方法、ネットワークデバイス、およびネットワークデバイス発見システムに関する。
【背景技術】
【０００２】
通信システムの発展により、大規模な配備のネットワークデバイスが出現した。たとえば、ワイヤレスネットワーク屋内カバレッジのシナリオでは、屋内に分散された遠隔ノード、ワイヤレス・ローカル・エリア・ネットワーク・アクセス・ポイント(Wireless Local Area Networks Access Point、略して、WLAN AP)、スモールセル等が、ひそかに、かつ集中的に導入される。これらネットワークデバイスが近端においてメンテナンスされる必要がある場合、これらネットワークデバイスを正確に発見する方法は、運用およびメンテナンスが困難となる。
【０００３】
先行技術では、これらネットワークデバイスは、エンジニアリング導入の間に記録されたデバイス位置に従って、マニュアルで探索される。しかしながら、エンジニアリング導入の間に記録されたネットワークデバイス位置の記録の精度を保証することは困難であり、ネットワークデバイス位置の調節によって、ネットワークデバイス位置の記録は、絶えず更新される必要がある。したがって、ネットワークデバイス位置の記録のメンテナンスは困難である。それに加えて、エンジニアがネットワークデバイスのサイトに到着した場合、隠れた場所におけるネットワークデバイスについては、参照がないので、位置決定は困難である。したがって、ネットワークデバイス探索の効率は低い。
【発明の概要】
【課題を解決するための手段】
【０００４】
本発明の実施態様は、エンジニアによるネットワークデバイスの発見の効率が低いという先行技術における問題を解決するネットワークデバイス発見方法、ネットワークデバイス、およびネットワークデバイス発見システムを提供する。
【０００５】
本発明の第1の態様によれば、ネットワークデバイス発見方法が提供され、この方法は、
ネットワークデバイスにより、センサ信号送信機によって送信されたセンサ信号を受信するステップと、
アラータがアラート信号を送信するよう、ネットワークデバイスにより、センサ信号に従って、アラータへ信号を送信すると決定するステップであって、アラート信号は、ネットワークデバイスの位置を示すために、および/または、ネットワークデバイスが所定範囲内に存在することを示すために使用される、ステップと、を含む。
【０００６】
第1の態様の第1の可能な実施方式では、ネットワークデバイスにより、センサ信号に従って、アラータへ信号を送信すると決定するステップは、
ネットワークデバイスが、センサ信号を受信し、ネットワークデバイスのデバイス発見スイッチがイネーブル状態にあると判定した後、ネットワークデバイスにより、アラータへ信号を送信するステップを含む。
【０００７】
第1の態様に従う、第1の態様の第2の可能な実施方式では、ネットワークデバイスにより、センサ信号送信機によって送信されたセンサ信号を受信するステップよりも前に、この方法は、
ネットワークデバイスが、デバイス発見スイッチがイネーブル状態にあると判定する場合、ネットワークデバイスにより、センサ信号送信機によって送信されたセンサ信号を受信するステップを実行するステップをさらに含む。
【０００８】
第1の態様、または、第1の態様の第1もしくは第2の可能な実施方式を参照して、第1の態様の第3の可能な実施方式では、この方法は、
ネットワークデバイスが故障状態にある場合、デバイス発見スイッチをイネーブル状態に設定するステップ、および/または、
ネットワークデバイスが起動ステージにある場合、デバイス発見スイッチをディセーブル状態に設定するステップ、および/または、
ネットワークデバイスにより、ネットワーク管理デバイスによって送信される、デバイス発見スイッチのスイッチコンフィギュレーション状態を含むコンフィギュレーション制御メッセージを受信し、スイッチコンフィギュレーション状態に従って、デバイス発見スイッチの状態を設定するステップ、をさらに含む。
【０００９】
第1の態様の第3の可能な実施方式に従う、第1の態様の第4の可能な実施方式では、スイッチコンフィギュレーション状態がディセーブル状態である場合、ネットワークデバイスにより、スイッチコンフィギュレーション状態に従って、デバイス発見スイッチの状態を設定するステップは、
ネットワークデバイスにより、ネットワークデバイスが非故障状態にあるか否かを判定し、ネットワークデバイスが非故障状態にある場合、デバイス発見スイッチをディセーブル状態へ設定するステップを含む。
【００１０】
第1の態様の第1から第4の可能な実施方式のうちのいずれか1つを参照して、第1の態様の第5の可能な実施方式では、アラータは、ネットワークデバイスまたはセンサ信号送信機へ統合される。
【００１１】
第1の態様の第1から第4の可能な実施方式のうちのいずれか1つを参照して、第1の態様の第6の可能な実施方式では、アラータは、第1のアラータおよび第2のアラータを含み、第1のアラータは、ネットワークデバイスへ統合され、第2のアラータは、センサ信号送信機へ統合される。
【００１２】
本発明の第2の態様によれば、ネットワークデバイスが提供され、このネットワークデバイスは、
センサ信号送信機によって送信されたセンサ信号を受信するように構成された受信モジュールと、
アラータがアラート信号を送信するよう、センサ信号に従って、アラータへ信号を送信すると決定するように構成された送信モジュールであって、アラート信号は、ネットワークデバイスの位置を示すために、および/または、ネットワークデバイスが所定範囲内に存在することを示すために使用される、送信モジュールと、を備える。
【００１３】
第2の態様の第1の可能な実施方式では、ネットワークデバイスは、処理モジュールをさらに備え、
処理モジュールは、受信モジュールがセンサ信号を受信し、ネットワークデバイスのデバイス発見スイッチがイネーブル状態にあると判定される場合、アラータへ信号を送信するか、または、受信モジュールがセンサ信号送信機によって送信されたセンサ信号を受信するよりも前に、デバイス発見スイッチがイネーブル状態にあると判定される場合、センサ信号送信機によって送信されたセンサ信号を受信するように受信モジュールを制御する、ように構成される。
【００１４】
第2の態様の第1の可能な実施方式に従う、第2の態様の第2の可能な実施方式では、処理モジュールは、
ネットワークデバイスが故障状態にある場合、デバイス発見スイッチをイネーブル状態に設定し、および/または、
ネットワークデバイスが起動ステージにある場合、デバイス発見スイッチをディセーブル状態に設定し、および/または、
ネットワーク管理デバイスによって送信される、デバイス発見スイッチのスイッチコンフィギュレーション状態を含むコンフィギュレーション制御メッセージを受信し、スイッチコンフィギュレーション状態に従って、デバイス発見スイッチの状態を設定する、ようにさらに構成される。
【００１５】
第2の態様の第2の可能な実施方式に従う、第2の態様の第3の可能な実施方式では、スイッチコンフィギュレーション状態がディセーブル状態である場合、処理モジュールは、
ネットワークデバイスが非故障状態にあるか否かを判定し、ネットワークデバイスが非故障状態にある場合、デバイス発見スイッチをディセーブル状態へ設定するようにさらに構成される。
【００１６】
第2の態様の第1から第3の可能な実施方式のうちのいずれか1つを参照して、第2の態様の第4の可能な実施方式では、アラータは、ネットワークデバイスまたはセンサ信号送信機へ統合される。
【００１７】
第2の態様の第1から第3の可能な実施方式のうちのいずれか1つを参照して、第2の態様の第5の可能な実施方式では、アラータは、第1のアラータおよび第2のアラータを含み、第1のアラータは、ネットワークデバイスへ統合され、第2のアラータは、センサ信号送信機へ統合される。
【００１８】
本発明の第3の態様によれば、ネットワークデバイスが提供され、このネットワークデバイスは、
センサ信号送信機によって送信されたセンサ信号を受信し、アラータがアラート信号を送信するよう、センサ信号に従って、アラータへ信号を送信すると決定するように構成されたセンサであって、アラート信号は、ネットワークデバイスの位置を示すために、および/または、ネットワークデバイスが所定範囲内に存在することを示すために使用される、センサを備える。
【００１９】
第3の態様の第1の可能な実施方式では、ネットワークデバイスは、プロセッサをさらに備え、
プロセッサは、センサがセンサ信号を受信し、ネットワークデバイスのデバイス発見スイッチがイネーブル状態にあると判定される場合、アラータへ信号を送信するか、または、センサがセンサ信号送信機によって送信されたセンサ信号を受信するよりも前に、デバイス発見スイッチがイネーブル状態にあると判定される場合、センサ信号送信機によって送信されたセンサ信号を受信するようにセンサを制御する、ように構成される。
【００２０】
第3の態様の第1の可能な実施方式に従う、第3の態様の第2の可能な実施方式では、プロセッサは、
ネットワークデバイスが故障状態にある場合、デバイス発見スイッチをイネーブル状態に設定し、および/または、
ネットワークデバイスが起動ステージにある場合、デバイス発見スイッチをディセーブル状態に設定し、および/または、
ネットワーク管理デバイスによって送信される、デバイス発見スイッチのスイッチコンフィギュレーション状態を含むコンフィギュレーション制御メッセージを受信し、スイッチコンフィギュレーション状態に従って、デバイス発見スイッチの状態を設定する、ようにさらに構成される。
【００２１】
第3の態様の第2の可能な実施方式に従う、第3の態様の第3の可能な実施方式では、スイッチコンフィギュレーション状態がディセーブル状態である場合、プロセッサは、
ネットワークデバイスが非故障状態にあるか否かを判定し、ネットワークデバイスが非故障状態にある場合、デバイス発見スイッチをディセーブル状態へ設定するようにさらに構成される。
【００２２】
第3の態様の第1から第3の可能な実施方式のうちのいずれか1つを参照して、第3の態様の第4の可能な実施方式では、アラータは、ネットワークデバイスまたはセンサ信号送信機へ統合される。
【００２３】
第3の態様の第1から第3の可能な実施方式のうちのいずれか1つを参照して、第3の態様の第5の可能な実施方式では、アラータは、第1のアラータおよび第2のアラータを含み、第1のアラータは、ネットワークデバイスへ統合され、第2のアラータは、センサ信号送信機へ統合される。
【００２４】
第3の態様の第1から第5の可能な実施方式のうちのいずれか1つを参照して、第3の態様の第6の可能な実施方式では、センサは、パッシブセンサまたはアクティブセンサであり、
センサがアクティブセンサである場合、ネットワークデバイスは、アクティブセンサへ電力を供給する電源をさらに備える。
【００２５】
本発明の第4の態様に従う、第3の態様または第3の態様の可能な実施方式のうちのいずれか1つによれば、ネットワークデバイスおよびセンサ信号送信機を含むネットワークデバイス発見システムが提供される。
【００２６】
本発明の実施態様で提供されるネットワークデバイス発見方法、ネットワークデバイス、およびネットワークデバイス発見システムによれば、ネットワークデバイスは、センサ信号送信機によって送信されたセンサ信号を受信し、ネットワークデバイスは、アラータがアラート信号を送信するよう、センサ信号に従って、アラータへ信号を送信すると決定し、アラート信号は、ネットワークデバイスの位置を示すために、および/または、ネットワークデバイスが所定範囲内に存在することを示すために使用される。これは、ネットワークデバイスの高速かつ高効率な発見を実現し、ネットワークデバイスメンテナンス要員によってネットワークデバイスを発見する際の困難さを低減し、ネットワークデバイスを発見する効率を向上し得る。
【００２７】
本発明の実施形態における技術的解決策をより明確に記述するために、以下では、実施形態を記述するために必要とされる添付図面を簡潔に記述する。当然ながら、以下の記述における添付図面は、本発明のいくつかの実施形態を図示しており、当業者はそれでもなお、創造的な労力なしに、これら添付図面から他の図面を導出し得る。
【図面の簡単な説明】
【００２８】
【図１】本発明によるネットワークデバイス発見方法の第1の実施形態のフローチャートである。
【図２】本発明によるネットワークデバイス発見方法の第2の実施形態のフローチャートである。
【図３】本発明によるネットワークデバイス発見方法の第3の実施形態のフローチャートである。
【図４】本発明によるネットワークデバイス発見方法の第4の実施形態のフローチャートである。
【図５】本発明によるネットワークデバイスの第1の実施形態の概要構成図である。
【図６】本発明によるネットワークデバイスの第2の実施形態の概要構成図である。
【図７】本発明によるネットワークデバイスの第1の実施形態の概要構成図である。
【図８】本発明によるネットワークデバイスの第2の実施形態の概要構成図である。
【図９】本発明によるネットワークデバイス発見システムの第1の実施形態の概要構成図である。
【発明を実施するための形態】
【００２９】
本発明の実施形態の目的、技術的解決策、および利点をより明確にするために、以下では、本発明の実施形態における技術的解決策を、本発明の実施形態における添付図面を参照して明確かつ十分に記述する。当然ながら、記述された実施形態は、本発明の実施形態のいくつかであって、すべてではない。創造的な労力なしに本発明の実施形態に基づいて当業者によって取得される他のすべての実施形態は、本発明の保護範囲内にあるものとする。
【００３０】
図1は、本発明によるネットワークデバイス発見方法の第1の実施形態のフローチャートである。図1に図示されるように、この実施形態におけるネットワークデバイス発見方法は、以下のステップを含む。
【００３１】
S101、ネットワークデバイスが、センサ信号送信機によって送信されたセンサ信号を受信する。
【００３２】
具体的には、この実施形態が適用可能なシナリオは、ネットワークデバイスメンテナンス要員によってネットワークデバイスを発見する際の困難さを低減し、ネットワークデバイスの発見の効率を向上できるように、ネットワークデバイスメンテナンス要員がネットワークデバイスを近端においてメンテナンスする必要がある場合、ネットワークデバイスは、高速かつ高効率な方式で発見される必要がある。
【００３３】
この実施形態におけるセンサ信号送信機は、ネットワークデバイスメンテナンス要員によって搬送または携帯され、センサ信号を送信できるデバイスであり得る。
【００３４】
S102、アラータがアラート信号を送信するよう、ネットワークデバイスが、センサ信号に従って、アラータへ信号を送信すると決定し、アラート信号は、ネットワークデバイスの位置を示すために、および/または、ネットワークデバイスが所定範囲内に存在することを示すために使用される。
【００３５】
この実施形態は、ネットワークデバイスによって実行され、ネットワークデバイスは、センサを含む。
【００３６】
センサ信号送信機を使用することによってネットワークデバイスメンテナンス要員によって送信され、ネットワークデバイスを発見するために使用されるセンサ信号を受信した後、センサは、アラータへ電気信号を送信し、これによって、アラータは、アラート信号を送信することができ、アラート信号は、ネットワークデバイスの位置を示すため、または、ネットワークデバイスが所定範囲内に存在することを示すために使用される。たとえば、アラータによって送信されたアラート信号は、音および光のように、発見し易い信号であり、アラータによって送信されたアラート信号に従って、ネットワークデバイスメンテナンス要員は、ネットワークデバイスを発見し得るか、または、ネットワークデバイスが所定範囲内に存在していると判定し得る。
【００３７】
この実施形態において提供されるネットワークデバイス発見方法によれば、ネットワークデバイスは、センサ信号送信機によって送信されたセンサ信号を受信し、ネットワークデバイスは、アラータがアラート信号を送信するよう、センサ信号に従って、アラータへ信号を送信すると決定し、アラート信号は、ネットワークデバイスの位置を示すために、および/または、ネットワークデバイスが所定範囲内に存在することを示すために使用される。これは、ネットワークデバイスの高速かつ高効率な発見を実現し、ネットワークデバイスメンテナンス要員によってネットワークデバイスを発見する際の困難さを低減し、ネットワークデバイスを発見する効率を向上し得る。
【００３８】
一実施形態では、アラータは、ネットワークデバイスまたはセンサ信号送信機へ統合される。
【００３９】
具体的には、センサによって送信された電気信号を受信した後、ネットワークデバイスへ統合されたアラータが、アラート信号を送信し、ネットワークデバイスメンテナンス要員は、ネットワークデバイスにおけるアラータによって送信されたアラート信号に従って、ネットワークデバイスを発見し得る。アラータが、センサ信号送信機へ統合された場合、センサは、ワイヤレスセンサであり得る。センサによって送信された電気信号を受信した後、センサ信号送信機へ統合されたアラータが、アラート信号を送信し、ネットワークデバイスメンテナンス要員は、搬送または携帯されたセンサ信号送信機におけるアラート信号に従って、探索されるべきネットワークデバイスが、たとえば、このネットワークデバイスが5m以内に存在するように、所定範囲内に存在すると判定し得る。アラータがセンサ信号送信機へ統合される実施形態においてネットワークデバイスを発見する精度は、アラータがネットワークデバイスへ統合される実施形態における精度よりも低いことが理解され得る。しかしながら、いくつかの応用シナリオでは、この実施形態における技術的解決策は、ネットワークデバイスを発見する効率を、ある程度改善し得る。
【００４０】
一実施形態では、アラータは、第1のアラータおよび第2のアラータを含み、第1のアラータは、ネットワークデバイスへ統合され、第2のアラータは、センサ信号送信機へ統合される。
【００４１】
具体的に、この実施形態では、第1のアラータは、ネットワークデバイス内に配置され、第2のアラータは、センサ信号送信機内に配置される。これは、ネットワークデバイスを発見する効率をさらに向上し得る。たとえば、第1のアラータによって送信されたアラート信号が識別されない場合、ネットワークデバイスメンテナンス要員は、第2のアラータによって送信されたアラート信号を使用することによってネットワークデバイス発見を実行し得る。
【００４２】
図2は、本発明によるネットワークデバイス発見方法の第2の実施形態のフローチャートである。図2に図示されるように、この実施形態におけるネットワークデバイス発見方法は、以下のステップを含む。
【００４３】
S201、ネットワークデバイスが、センサ信号送信機によって送信されたセンサ信号を受信する。
【００４４】
S202、センサ信号を受信し、ネットワークデバイスのデバイス発見スイッチがイネーブル状態にあると判定された後、ネットワークデバイスは、アラータへ信号を送信する。
【００４５】
具体的には、この実施形態では、デバイス発見スイッチの制御機能が提供される。デバイス発見スイッチがオンである場合、センサおよびアラータは適切に動作し、デバイス発見スイッチがオフである場合、センサおよび/またはアラータは、信号を受信および/または送信する/しない。デバイス発見スイッチの制御機能は、ネットワークデバイスが、異なるシナリオにおいて、デバイス発見スイッチをイネーブル状態またはディセーブル状態へ設定することを保証し得る。
【００４６】
この実施形態において提供されるネットワークデバイス発見方法によれば、ネットワークデバイスは、センサ信号送信機によって送信されたセンサ信号を受信する。そして、センサ信号を受信し、ネットワークデバイスのデバイス発見スイッチがイネーブル状態にあると判定した後に、ネットワークデバイスは、アラータへ信号を送信する。これは、ネットワークデバイスの高速かつ高効率な発見を実現し、ネットワークデバイスメンテナンス要員によってネットワークデバイスを発見する際の困難さを低減し、ネットワークデバイスを発見する効率を向上し得る。
【００４７】
図3は、本発明によるネットワークデバイス発見方法の第3の実施形態のフローチャートである。図3に図示されるように、この実施形態におけるネットワークデバイス発見方法は、以下のステップを含む。
【００４８】
S301、デバイス発見スイッチがイネーブル状態にあるか否かを、ネットワークデバイスが判定し、デバイス発見スイッチがイネーブル状態にあるのであれば、S302が実行され、デバイス発見スイッチがイネーブル状態にないのであれば、S304が実行される。
【００４９】
S302、ネットワークデバイスが、センサ信号送信機によって送信されたセンサ信号を受信する。
【００５０】
S303、アラータがアラート信号を送信するよう、ネットワークデバイスが、センサ信号に従って、アラータへ信号を送信すると決定し、アラート信号は、ネットワークデバイスの位置を示すために、および/または、ネットワークデバイスが所定範囲内に存在することを示すために使用される。
【００５１】
S304、ネットワークデバイスは、センサ信号送信機によって送信されたセンサ信号を受信しない。
【００５２】
具体的には、この実施形態は、デバイス発見スイッチを制御するための別の可能な実施方式である。ネットワークデバイスは先ず、デバイス発見スイッチがイネーブル状態にあるか否かを判定し、デバイス発見スイッチがイネーブル状態にあるのであれば、センサ信号送信機によって送信されたセンサ信号を受信する動作が実行される。
【００５３】
この実施形態において提供されるネットワークデバイス発見方法によれば、ネットワークデバイスは、デバイス発見スイッチがイネーブル状態にあるか否かを判定し、デバイス発見スイッチがイネーブル状態にあるのであれば、センサ信号送信機によって送信されたセンサ信号を受信し、アラータがアラート信号を送信するよう、センサ信号に従って、アラータへ信号を送信すると決定し、デバイス発見スイッチがイネーブル状態にないのであれば、センサ信号送信機によって送信されたセンサ信号を受信しない。これは、ネットワークデバイスの高速かつ高効率な発見を実現し、ネットワークデバイスメンテナンス要員によってネットワークデバイスを発見する際の困難さを低減し、ネットワークデバイスを発見する効率を向上し得る。
【００５４】
図4は、本発明によるネットワークデバイス発見方法の第4の実施形態のフローチャートである。図4に図示されるように、この実施形態におけるネットワークデバイス発見方法は、以下のステップをさらに含む。
【００５５】
S401、ネットワークデバイスが故障状態にある場合、ネットワークデバイスは、デバイス発見スイッチをイネーブル状態に設定し、および/または、ネットワークデバイスが起動ステージにある場合、ネットワークデバイスは、デバイス発見スイッチをディセーブル状態へ設定し、および/または、ネットワークデバイスは、ネットワーク管理デバイスによって送信される、デバイス発見スイッチのスイッチコンフィギュレーション状態を含んでいるコンフィギュレーション制御メッセージを受信し、スイッチコンフィギュレーション状態に従って、デバイス発見スイッチの状態を設定する。
【００５６】
具体的には、ネットワークデバイスの故障状態は、ネットワークデバイスの電力供給停止、ネットワークデバイスのソフトウェアおよびハードウェアの故障、ネットワークデバイスの送信故障、ならびに、ネットワークデバイスによって検知された、温度、湿度、およびスモッグのような環境的な異常を含み得る。この実施形態におけるネットワークデバイスは、ネットワークデバイスの故障状態情報を読み取り、故障状態情報が、ネットワークデバイスが故障状態にあることであれば、それは、ネットワークデバイスがメンテナンスされるべき状態にあり、したがって、デバイス発見スイッチがイネーブルされる必要があることを示し、これによって、ネットワークデバイスメンテナンス要員は、デバイスのサイトに到着した後、高速かつ高効率な方式でネットワークデバイスを発見し、その後、メンテナンスを実行することができる。ネットワークデバイスの故障回復後、デバイス発見スイッチは、スイッチコンフィギュレーション状態に従って、イネーブル状態またはディセーブル状態へ設定され得る。
【００５７】
ネットワークデバイスの起動ステージにおいて、ネットワークデバイスの状態は、不安定であり、エラー応答が発生し得る。したがって、デバイス発見スイッチが、ディセーブルされ得る。そして、ネットワークデバイスが起動を完了した後、スイッチコンフィギュレーション状態と、ネットワークデバイスが故障状態にあるか否かとに従って、デバイス発見スイッチがイネーブルまたはディセーブルされる。具体的には、ネットワークデバイスが起動を完了した後、ネットワークデバイスが故障状態にあるのであれば、デバイス発見スイッチがイネーブルされる。または、ネットワークデバイスが通常状態にあるのであれば、スイッチコンフィギュレーション状態がイネーブル状態またはディセーブル状態であると判定される。ここでは、スイッチコンフィギュレーション状態がイネーブル状態であれば、デバイス発見スイッチがイネーブルされ、または、スイッチコンフィギュレーション状態がディセーブル状態であれば、デバイス発見スイッチがディセーブルされる。
【００５８】
具体的には、この実施形態では、デバイス発見スイッチのコンフィギュレーション制御機能がさらに提供される。デバイス発見スイッチのスイッチコンフィギュレーション状態は、コンフィギュレーションチャネルを使用することによってネットワーク管理デバイスによって設定され得る。スイッチコンフィギュレーション状態は、コンフィギュレーションパラメータとすることができ、2つの状態、すなわち、イネーブル状態とディセーブル状態とを含むことができる。デバイス発見スイッチのスイッチコンフィギュレーション状態は、デフォルトでディセーブル状態である。デバイス発見スイッチのスイッチコンフィギュレーション状態を含むコンフィギュレーション制御メッセージを受信した後、ネットワークデバイスは、スイッチコンフィギュレーション状態を記憶し、スイッチコンフィギュレーション状態に従って、デバイス発見スイッチをイネーブル状態またはディセーブル状態へ設定する。
【００５９】
一実施形態では、スイッチコンフィギュレーション状態がディセーブル状態である場合、S401におけるスイッチコンフィギュレーション状態に従って、デバイス発見スイッチの状態を設定する動作は、
ネットワークデバイスが非故障状態にあるか否かを、ネットワークデバイスによって判定し、ネットワークデバイスが非故障状態にあるのであれば、デバイス発見スイッチをディセーブル状態へ設定する動作を含み得る。
【００６０】
具体的には、ネットワークデバイスは、ネットワークデバイスの故障状態情報を読み取ることによって、ネットワークデバイスが非故障状態にあるか否かを判定し、ネットワークデバイスが非故障状態にあれば、デバイス発見スイッチをディセーブル状態へ設定する。
【００６１】
具体的には、スイッチコンフィギュレーション状態がディセーブル状態である場合、デバイス発見スイッチがディセーブルされる前に、デバイス発見スイッチをディセーブル状態に設定するために、ネットワークデバイスが非故障状態にあるか否かが判定される必要があり、ネットワークデバイスが非故障状態にあるのであれば、デバイス発見スイッチがディセーブル状態へ設定され、ネットワークデバイスが非故障状態にはないのであれば、デバイス発見スイッチはディセーブル状態へ設定されない。
【００６２】
S402、センサ信号を受信し、ネットワークデバイスのデバイス発見スイッチが、イネーブル状態にあると判定した後、ネットワークデバイスは、アラータへ信号を送信するか、または、デバイス発見スイッチがイネーブル状態にあると判定すると、ネットワークデバイスは、センサ信号送信機によって送信されたセンサ信号を受信するステップを実行する。
【００６３】
この実施形態において提供されたネットワークデバイス発見方法によれば、ネットワークデバイスは、ネットワークデバイスの故障状態、ネットワークデバイスが起動ステージにあるか否か、および、受信されたスイッチコンフィギュレーション状態に従って、デバイス発見スイッチの状態をイネーブル状態またはディセーブル状態へ設定し、ネットワークデバイスのデバイス発見スイッチがイネーブル状態にあると判定された場合、ネットワークデバイスは、アラータへ信号を送信する動作を実行するか、または、センサ信号送信機によって送信されたセンサ信号を受信する動作を実行する。これは、ネットワークデバイスの高速かつ高効率な発見を実現し、ネットワークデバイスメンテナンス要員によってネットワークデバイスを発見する際の困難さを低減し、ネットワークデバイスを発見する効率を向上し、さらに、ネットワークデバイスが故障している場合、デバイス発見スイッチをイネーブルにすることを実施し、これによって、ネットワークデバイスメンテナンス要員は、デバイス発見の安定性を保証するために、デバイスサイトに到着した後に、ネットワークデバイスを高速かつ高効率な方式で発見し、その後、メンテナンスを実行し、ネットワークデバイスの起動ステージにおいてデバイス発見スイッチをディセーブルすることができる。
【００６４】
図5は、本発明によるネットワークデバイスの第1の実施形態の概要構成図である。図5に図示されるように、この実施形態におけるネットワークデバイスは、受信モジュール51および送信モジュール52を含み、受信モジュール51は、センサ信号送信機によって送信されたセンサ信号を受信するように構成され、送信モジュール52は、受信モジュール51に接続され、アラータがアラート信号を送信するよう、センサ信号に従って、アラータへ信号を送信すると決定するように構成され、アラート信号は、ネットワークデバイスの位置を示すために、および/または、ネットワークデバイスが所定範囲内に存在することを示すために使用される。
【００６５】
一実施形態では、アラータは、ネットワークデバイスまたはセンサ信号送信機へ統合される。
【００６６】
一実施形態では、アラータは、第1のアラータおよび第2のアラータを含み、第1のアラータは、ネットワークデバイスへ統合され、第2のアラータは、センサ信号送信機へ統合される。
【００６７】
この実施形態におけるデバイスは、図1に図示される方法の実施形態における技術的解決策を実行するために使用され得る。そして、その実施原理および技術的効果は類似しており、本明細書では詳細は再度記述されない。
【００６８】
図6は、本発明によるネットワークデバイスの第2の実施形態の概要構成図である。図6に図示されるように、図5に図示される実施形態に基づいて、この実施形態におけるネットワークデバイスは、処理モジュール53をさらに含む。
【００６９】
処理モジュール53は、受信モジュール51がセンサ信号を受信し、ネットワークデバイスのデバイス発見スイッチがイネーブル状態にあると判定されると、アラータへ信号を送信するか、または、センサ信号送信機によって送信されたセンサ信号を受信モジュール51が受信するよりも前に、デバイス発見スイッチがイネーブル状態にあると判定されると、センサ信号送信機によって送信されたセンサ信号を受信するように受信モジュール51を制御するように構成される。
【００７０】
この実施形態におけるデバイスは、図2または図3に図示される方法の実施形態における技術的解決策を実行するために使用され得る。そして、その実施原理および技術的効果は類似しており、本明細書では詳細は再度記述されない。
【００７１】
一実施形態では、処理モジュール53は、
ネットワークデバイスが故障状態にある場合、デバイス発見スイッチをイネーブル状態に設定し、および/または、
ネットワークデバイスが起動ステージにある場合、デバイス発見スイッチをディセーブル状態に設定し、および/または、
ネットワーク管理デバイスによって送信される、デバイス発見スイッチのスイッチコンフィギュレーション状態を含むコンフィギュレーション制御メッセージを受信し、スイッチコンフィギュレーション状態に従って、デバイス発見スイッチの状態を設定する、ようにさらに構成される。
【００７２】
この実施形態におけるデバイスは、図4に図示される方法の実施形態における技術的解決策を実行するために使用され得る。その実施原理および技術的効果は類似しており、本明細書では、詳細は再度記述されない。
【００７３】
さらに、スイッチコンフィギュレーション状態がディセーブル状態である場合、処理モジュール53は、
ネットワークデバイスが非故障状態にあるか否かを判定し、ネットワークデバイスが非故障状態にあれば、デバイス発見スイッチをディセーブル状態へ設定するようにさらに構成される。
【００７４】
図7は、本発明によるネットワークデバイスの第1の実施形態の概要構成図である。図7に図示されるように、この実施形態におけるネットワークデバイス700は、センサ71およびアラータ72を含み、センサ71は、センサ信号送信機によって送信されたセンサ信号を受信するように構成され、センサ71は、センサ信号に従って、アラータ72へ信号を送信すると決定し、これによって、アラータ72は、アラート信号を送信する。アラート信号は、ネットワークデバイス700の位置を示すために、および/または、ネットワークデバイス700が所定範囲内に存在することを示すために使用される。
【００７５】
一実施形態では、センサはワイヤレスセンサであり、この実施形態と、図7に図示される実施形態との相違は、アラータがセンサ信号送信機に統合されていることである。
【００７６】
具体的には、この実施形態におけるセンサは、ワイヤレスセンサであり得る。センサによって送信された電気信号を受信した後、センサ信号送信機へ統合されたアラータは、アラート信号を送信する。ネットワークデバイスメンテナンス要員は、搬送または携帯されたセンサ信号送信機におけるアラート信号に従って、探索されるべきネットワークデバイスが、たとえば、このネットワークデバイスが5m以内に存在するように、所定範囲内に存在すると判定し得る。この実施形態においてネットワークデバイスを発見する精度は、アラータがネットワークデバイスへ統合される実施形態における精度よりも低いことが理解され得る。しかしながら、いくつかの応用シナリオでは、この実施形態における技術的解決策は、ネットワークデバイスを発見する効率を、ある程度向上し得る。
【００７７】
一実施形態では、アラータは、第1のアラータおよび第2のアラータを含み、第1のアラータは、ネットワークデバイスへ統合され、第2のアラータは、センサ信号送信機へ統合される。
【００７８】
一実施形態では、センサは、パッシブセンサまたはアクティブセンサである。
【００７９】
センサが、アクティブセンサであれば、ネットワークデバイスは、アクティブセンサへ電力を供給する電源をさらに含む。
【００８０】
具体的には、ネットワークデバイスにおけるセンサがアクティブセンサであるが、アクティブセンサに電力を供給する電源がネットワークデバイス内に配置されていないのであれば、デバイス発見機能は、ネットワークデバイスの電力供給停止中に提供され得ず、ネットワークデバイスがアクティブセンサに電力を供給する電源をさらに含む場合、デバイス発見機能は、ネットワークデバイスの電力供給停止中であっても提供され得る。
【００８１】
この実施形態におけるデバイスは、図1に図示される方法の実施形態における技術的解決策を実行するために使用され得る。そして、その実施原理および技術的効果は類似しており、本明細書では詳細は再度記述されない。
【００８２】
図8は、本発明によるネットワークデバイスの第2の実施形態の概要構成図である。図8に図示されるように、図7に図示される実施形態に基づいて、この実施形態におけるネットワークデバイスは、プロセッサ73をさらに含む。
【００８３】
プロセッサ73は、センサ71がセンサ信号を受信し、ネットワークデバイスのデバイス発見スイッチがイネーブル状態にあると判定されたのであれば、アラータ72へ信号を送信するように、または、センサ71がセンサ信号送信機によって送信されたセンサ信号を受信するよりも前に、デバイス発見スイッチがイネーブル状態にあると判定されると、センサ信号送信機によって送信されたセンサ信号を受信するようにセンサ71を制御するように構成される。
【００８４】
この実施形態におけるデバイスは、図2または図3に図示される方法の実施形態における技術的解決策を実行するために使用され得る。そして、その実施原理および技術的効果は類似しており、本明細書では詳細は再度記述されない。
【００８５】
一実施形態では、プロセッサ73は、
ネットワークデバイスが故障状態にある場合、デバイス発見スイッチをイネーブル状態に設定し、および/または、
ネットワークデバイスが起動ステージにある場合、デバイス発見スイッチをディセーブル状態に設定し、および/または、
ネットワーク管理デバイスによって送信される、デバイス発見スイッチのスイッチコンフィギュレーション状態を含むコンフィギュレーション制御メッセージを受信し、スイッチコンフィギュレーション状態に従って、デバイス発見スイッチの状態を設定するようにさらに構成される。さらに、スイッチコンフィギュレーション状態がディセーブル状態である場合、プロセッサ73は、
ネットワークデバイスが非故障状態にあるか否かを判定し、ネットワークデバイスが非故障状態にあるのであれば、デバイス発見スイッチをディセーブル状態へ設定するようにさらに構成される。
【００８６】
この実施形態におけるデバイスは、図4に図示される方法の実施形態における技術的解決策を実行するために使用され得る。そして、その実施原理および技術的効果は類似しており、本明細書では詳細は再度記述されない。
【００８７】
図9は、本発明によるネットワークデバイス発見システムの第1の実施形態の概要構成図である。図9に図示されるように、この実施形態におけるネットワークデバイス発見システムは、ネットワークデバイスの前述した第1または第2の実施形態のうちのいずれか1つによる、ネットワークデバイス700およびセンサ信号送信機800を含む。
【００８８】
前述した実施形態に対応する概要構成図は単なる典型例であり、パーツまたはモジュール間の接続関係は、これら図面に図示された形式に限定されず、実際の応用例における状況に従い得ることが注目されるべきである。
【００８９】
本発明において提供されるいくつかの実施形態では、開示された装置および方法は、他の方式で実施され得ることが理解されるべきである。たとえば、記述された装置の実施形態は、単なる典型例である。たとえば、ユニット分割は、単なる論理的な機能分割であり、実際の実施では他の分割であり得る。たとえば、複数のユニットまたは構成要素が別のシステムへ結合または統合され得るか、いくつかの特徴が無視され得るかまたは実行されない。さらに、表示または論述された相互の結合または直接的な結合または通信接続は、いくつかのインターフェースを介して実施され得る。装置またはユニット間の間接的な結合または通信接続は、電子的、機械的、または他の形式で実施され得る。
【００９０】
分離されたパーツとして記述されているユニットは、物理的に分離されていることも、されていないこともあり、ユニットとして表示されたパーツは、物理的なユニットであることも、ないこともあり、1つの場所に配置され得るか、または、複数のネットワークユニット上に分散され得る。ユニットのいくつかまたはすべては、実施形態の解決策の目的を達成するための実際のニーズに従って選択され得る。
【００９１】
それに加えて、本発明の実施形態における機能的なユニットは、1つの処理ユニットへ統合され得るか、または、これらユニットの各々が、物理的に単独で存在し得るか、または、2つ以上のユニットが、1つのユニットへ統合され得る。統合されたユニットは、ハードウェアの形式で実施され得るか、または、ソフトウェア機能ユニットに加えてハードウェアの形式で実施され得る。
【００９２】
前述した統合されたユニットが、ソフトウェア機能ユニットの形式で実施される場合、統合されたユニットは、コンピュータ読み取り可能な記憶媒体に記憶され得る。ソフトウェア機能ユニットは、記憶媒体に記憶され、(パーソナルコンピュータ、サーバ、またはネットワークデバイスであり得る)コンピュータデバイスまたはプロセッサ(processor)に対して、本発明の実施形態において記述された方法のステップの一部を実行するように命令するためのいくつかの命令を含む。前述した記憶媒体は、USBフラッシュドライブ、リムーバブルハードディスク、読み取り専用メモリ(Read-Only Memory, ROM)、ランダムアクセスメモリ(Random Access Memory, RAM)、磁気ディスク、または光ディスクのように、プログラムコードを記憶し得る任意の媒体を含む。
【００９３】
便利かつ簡潔な記述を目的として、前述した機能モジュールの分割は、例示のための一例として採用されていることが当業者によって明確に理解され得る。実際の応用例では、前述した機能は、要求に従って、異なる機能モジュールへ割り当てられ、実施され得る。すなわち、前述された機能のすべてまたは一部を実施するために、装置の内部構成が異なる機能モジュールへ分割される。前述した装置の詳細な動作プロセスのために、前述した方法の実施形態における対応するプロセスに対する参照もなされ得る。そして、本明細書では詳細は再度記述されない。
【００９４】
最後に、前述した実施形態は単に、本発明の技術的解決策を記述するためのものであり、本発明を限定するものではないことが意図されていることに留意されたい。本発明は、前述した実施形態を参照して詳細に記述されているが、当業者は、本発明の実施形態の技術的解決策の範囲から逸脱することなく、前述した実施形態に記述された技術的解決策に対する修正を行い得るか、または、そのいくつかもしくはすべての技術的特徴に対する等価な置換を行い得ることを理解するべきである。
【符号の説明】
【００９５】
51  受信モジュール
52  送信モジュール
53  処理モジュール
71  センサ
72  アラータ
73  プロセッサ
700  ネットワークデバイス
800  センサ信号送信機
【図１】
0006395858.tif 000002
【図２】
0006395858.tif 000003
【図３】
0006395858.tif 000004
【図４】
0006395858.tif 000005
【図５】
0006395858.tif 000006
【図６】
0006395858.tif 000007
【図７】
0006395858.tif 000008
【図８】
0006395858.tif 000009
【図９】
0006395858.tif 000010